(57)【要約】【課題】端子と高分子アクチュエータとの接触圧を高めて端子と高分子アクチュエータとを安定的に接続させ、かつ、撮像レンズユニットの防塵性を高める。【解決手段】支持枠３０の載置部３１に端子３３、高分子アクチュエータ４０、端子３２を順次、載置すると、端子３２，３３の接続端子部３２ａ、３３ａは、支持枠３０の段差凹部３９に嵌合し、支持枠３０の外周面と接続端子部３２ａ、３３ａとが面一に連続する。この状態で支持枠３０のボス部３５にホルダ１の孔部５にボス部３５を圧入し、支持枠３０とホルダ１とを一体化する。ホルダ１のバネ片３７により上下の端子３２、３３を高分子アクチュエータ４０に圧接した後、ホルダ１の外面にカバー５０に固定するとカバー５０の側板部５２によってホルダ１の開口部３６が塞がれる。【選択図】図２
2010091808.tif 000002
【特許請求の範囲】
【請求項１】
鏡筒内に組み込まれるレンズユニットと、前記鏡筒を光軸方向に移動自在に保持するホルダと、このホルダの支持枠と、この支持枠と前記ホルダとの間に介在する高分子アクチュエータと、端子からの電圧の印加に応じて変位する前記高分子アクチュエータに形成した複数の変位部と、前記鏡筒の後面側に固定して前記変位部と係合可能な受部材とを備え、前記端子からの電圧の印加に応じて前記変位部を変位させ、その変位部の変位量に応じてレンズユニットを光軸方向に移動させて被写体とのピント合わせを自動化するように構成した撮像レンズユニットであって、前記ホルダと支持枠との重ね合わせ部に近接して該ホルダ又は支持枠の少なくとも一方に横長な開口部を形成して弾性変形可能なバネ片を形成し、このバネ片の付勢力によって前記端子を前記高分子アクチュエータ側に押し付けるとともに、前記支持枠に前記開口部を塞ぐカバーを設けたことを特徴とする撮像レンズユニット。
【請求項２】
前記端子の端部より外部に露出して外部配線部材と接続する接続端子部をＬ字状に折曲形成し、この接続端子部を前記支持枠の外周面に形成する段差凹部に収納し、前記支持枠の外周面と前記接続端子部とをほぼ面一に連続させたことを特徴とする請求項１記載の撮像レンズユニット。
【請求項３】
前記ホルダに係止爪を設け、この係止爪を前記カバーに形成する係止孔に係止して前記ホルダに前記カバーを保持したことを特徴とする請求項３記載の撮像レンズユニット。
【発明の詳細な説明】
【技術分野】
【０００１】
本発明は、光学系機器における撮像レンズユニット、特に、カメラ機能を備えた携帯電話機などに組み込まれた焦点調整を自動化（オートフォーカス）した撮像レンズユニットに関する。
【背景技術】
【０００２】
近年、携帯電話に搭載したカメラとしてレンズユニットの焦点調整を自動で行うオートフォーカス機能を備えたカメラが普及しつつある。このような、オートフォーカス機能を備えたカメラとして、例えば、特許文献１には、被写体の光学像を形成するための光学素子と、光学素子を所定の方向に案内し移動可能に支持するための支持機構と、光学素子を移動させるための第一と第二の高分子アクチュエータとを備え、この第一と第二の高分子アクチュエータに電圧の印加に応じて変形する高分子部を形成し、電圧の印加による前記高分子部の変形により光学素子を移動させることにより、レンズユニットの焦点調整を自動化した光学装置およびデジタルカメラが知られている。
【０００３】
前記デジタルカメラにおけるオートフォーカス機能は、光学レンズを移動するために二つの高分子アクチュエータを用いるとともに、高分子アクチュエータを撓ませた際、レンズ群を位置決めする構造を採用している。このため、高分子アクチュエータを撓ませた際に、レンズユニットの位置決め手段が必要であるとともに、２つの高分子アクチュエータを用いることから、部品点数も多い。このため、組付け作業に手間が掛かるとともに、例えば、携帯電話に組込む場合、小型化にも不利である。一方、携帯電話に組み込まれるカメラに用いられる撮像レンズユニットも必然的に小型・薄型化が要求される。このような携帯電話に組み込まれるオートフォーカス機能を備えた撮像レンズユニットに求められる小型・薄型化に対して本願出願人は、レンズユニットを組み込む鏡筒と、この鏡筒を光軸方向に移動自在に保持するホルダと、このホルダの支持枠と、この支持枠と前記ホルダとの間に介在する高分子アクチュエータと、端子からの電圧の印加に応じて変位する前記高分子アクチュエータに形成した複数の変位部とを備え、この高分子アクチュエータに形成した複数の変位部を鏡筒の外周面に形成した係合溝に係合させ、高分子アクチュエータで直接的にレンズユニットを駆動した撮像レンズユニットを先に特願２００７−３３８７９５号で出願している。この撮像レンズユニットは、高分子アクチュエータの変位に連動してレンズユニットを光軸方向に移動してオートフォーカスする時、鏡筒をホルダに沿わせて案内するガイド機構としてホルダにガイドリブを形成し、鏡筒の外周面にガイド溝を形成し、高分子アクチュエータの変位によってレンズユニットを光軸方向に移動する際、ガイドリブに沿って鏡筒がスライド自在に案内されている。
【０００４】
【特許文献１】特開２００６−３０１２０３号公報
【発明の開示】
【発明が解決しようとする課題】
【０００５】
ところで、前記撮像レンズユニットは、端子からの電圧の印加に応じて高分子アクチュエータに形成した複数の変位部を変位させて、この変位部に係合する鏡筒を光軸方向に上下動させて、被写体との焦点距離を自動化（オートフォーカス）するように構成しているから、上下の端子と、この端子に挟まれた高分子アクチュエータとを安定的に接触させる構造が望まれている。このような要望に対して前記撮像レンズユニットは、支持枠とホルダの間に挟着された上下の端子と高分子アクチュエータとの接触圧を高めるために、ホルダの下部に横長な開口部を形成して弾性変形可能なバネ片を形成し、このバネ片を上下の端子と、この端子に挟まれた高分子アクチュエータを介して支持枠に圧接させる構造を採用していた。このように、ホルダの下部に弾性変形可能なバネ片を一体形成することによって、部品点数を増やすことなく、端子と高分子アクチュエータとの接触圧を高めることができる反面、ホルダにバネ片を形成するために横長な開口部を形成することから、その開口部から撮像レンズユニットの内部に細かな塵や埃が侵入しやすい。特に細かな埃が光学レンズユニットに付着してしまうと、光学性能の低下を招くことから、防塵性を高めることは、この種の撮像レンズユニットにとっては重要な課題である。また、前記撮像レンズユニットは、端子に外部からの電源を供給する必要があるため、端子の端部に外部配線部材と接続する接続端子部を一体形成していたが、この接続端子部が支持枠から水平方向に突出するように形成されているため、構造的に接続端子部が外部に突出してしまい、撮像レンズユニットの小型化を損なう、という課題を有していた。
【０００６】
本発明は上述した問題点に鑑みてなされたものであり、撮像レンズユニットの小型化を図るとともに、端子と高分子アクチュエータとの接触圧を高めて端子と高分子アクチュエータとを安定的に接続させ、かつ、撮像レンズユニットの防塵性を高めることができる撮像レンズユニットを提供することを目的とする。
【課題を解決するための手段】
【０００７】
請求項１の撮像レンズユニットは、鏡筒内に組み込まれるレンズユニットと、前記鏡筒を光軸方向に移動自在に保持するホルダと、このホルダの支持枠と、この支持枠と前記ホルダとの間に介在する高分子アクチュエータと、端子からの電圧の印加に応じて変位する前記高分子アクチュエータに形成した複数の変位部と、前記鏡筒の後面側に固定して前記変位部と係合可能な受部材とを備え、前記端子からの電圧の印加に応じて前記変位部を変位させ、その変位部の変位量に応じてレンズユニットを光軸方向に移動させて被写体とのピント合わせを自動化するように構成した撮像レンズユニットであって、前記ホルダと支持枠との重ね合わせ部に近接して該ホルダ又は支持枠の少なくとも一方に横長な開口部を形成して弾性変形可能なバネ片を形成し、このバネ片の付勢力によって前記端子を前記高分子アクチュエータ側に押し付けるとともに、前記支持枠に前記開口部を塞ぐカバーを設けたことを特徴とする。
【０００８】
請求項１の構成により、支持枠に端子、高分子アクチュエータ、端子を順次、載置して支持枠とホルダとを固定することによって、上下一対の端子の間に高分子アクチュエータがサンドイッチ状態で挟着される。この時、ホルダ又は支持枠の一方に開口部を形成して薄肉状のバネ片を形成し、この突き当て片を上下の端子の一方に押圧させることによって、上下一対の端子と高分子アクチュエータとの接触圧を高めた状態でホルダと支持枠とを固定し、この後、ホルダの外面にカバーを固定することによって、カバーでホルダの開口部が塞がれる。
【０００９】
請求項２の撮像レンズユニットは、前記端子の端部より外部に露出して外部配線部材と接続する接続端子部をＬ字状に折曲形成し、この接続端子部を前記支持枠の外周面に形成する段差凹部に収納し、前記支持枠の外周面と前記接続端子部とをほぼ面一に連続させたことを特徴とする。
【００１０】
請求項２の構成により、端子の接続端子部を支持枠の段差凹部に嵌合すると、支持枠の外周面と接続端子部とが面一に連続する。この接続端子部に外部配線部材を接続し、端子から高分子アクチュエータに電圧を印加すると、高分子アクチュエータの変位部が撓み、変位部の変位量に応じてレンズユニットが光軸方向に移動して被写体とのピント合わせが自動化される。
【００１１】
請求項３記載の撮像レンズユニットは、ホルダに係止爪を設け、この係止爪を前記カバーに形成する係止孔に係止して前記ホルダに前記カバーを保持したことを特徴とする。
【００１２】
ホルダにカバーを被せると、カバーに形成する係止孔がホルダの係止爪が係止してホルダにカバーが固定される。
【発明の効果】
【００１３】
請求項１の撮像レンズユニットによれば、鏡筒内に組み込まれるレンズユニットと、前記鏡筒を光軸方向に移動自在に保持するホルダと、このホルダの支持枠と、この支持枠と前記ホルダとの間に介在する高分子アクチュエータと、端子からの電圧の印加に応じて変位する前記高分子アクチュエータに形成した複数の変位部と、前記鏡筒の後面側に固定して前記変位部と係合可能な受部材とを備え、前記端子からの電圧の印加に応じて前記変位部を変位させ、その変位部の変位量に応じてレンズユニットを光軸方向に移動させて被写体とのピント合わせを自動化するように構成した撮像レンズユニットであって、前記ホルダと支持枠との重ね合わせ部に近接して該ホルダ又は支持枠の少なくとも一方に横長な開口部を形成して弾性変形可能なバネ片を形成し、このバネ片の付勢力によって前記端子を前記高分子アクチュエータ側に押し付けるとともに、前記支持枠に前記開口部を塞ぐカバーを設けたものであるから、ホルダ又は支持枠の一方に開口部を形成することによって薄肉状のバネ片が形成され、このバネ片を端子に押圧させることによって、上下一対の端子と高分子アクチュエータとの接触圧を高めて端子と高分子アクチュエータとを確実に接続させることができるとともに、バネ片を形成するための開口部がカバーによって塞がれ、開口部からの塵や埃の侵入を防止することができ、撮像レンズユニットの防塵性を高めることができる。
【００１４】
請求項２の撮像レンズユニットによれば、前記端子の端部より外部に露出して外部配線部材と接続する接続端子部をＬ字状に折曲形成し、この接続端子部を前記支持枠の外周面に形成する段差凹部に収納し、前記支持枠の外周面と前記接続端子部とをほぼ面一に連続させたものであるから、端子の接続端子部が水平方向に突出することなく、段差凹部に収まり、支持枠の外周面と前記端子の接続端子部とがほぼ面一に連続することから、撮像レンズユニットをよりコンパクトに小型化することができる。
【００１５】
請求項３記載の撮像レンズユニットによれば、ホルダに係止爪を設け、この係止爪を前記カバーに形成する係止孔に係止して前記ホルダに前記カバーを保持したものであるから、ホルダにカバーを被せてホルダの係止爪にカバーに形成する係止孔に係止するだけでカバーをワンタッチで固定することができる。
【発明を実施するための最良の形態】
【００１６】
本発明の実施の形態を実施例に基づき図面を参照して説明する。
【実施例１】
【００１７】
図１は本発明の一実施例を示す撮像レンズユニットの斜視図、図２は撮像レンズユニットの分解斜視図、図３は一部を切り欠いた撮像レンズユニットの斜視図、図４は撮像レンズユニットの断面図、図５は撮像レンズユニットの組み付け手順を示す分解斜視図、図６はカバーの斜視図、図７はホルダの斜視図である。
【００１８】
本発明の実施例における撮像レンズユニットは、ＣＣＤ等の撮像素子が組込まれたホルダ１と、複数のレンズ７で構成されるレンズユニット１５と、このレンズユニット１５を保持する鏡筒１０と、前記ホルダ１を支持する支持枠３０と、この支持枠３０と前記ホルダ１との間に介在する高分子アクチュエータ４０、この高分子アクチュエータ４０と係合する受部材４５などを主要構成部品として、前記高分子アクチュエータ４０を電圧の印加に応じて変位させ前記レンズユニット１５を光軸方向に移動させることによって焦点合わせを自動で行うオートフォーカス（ＡＦ）機能を備えている。なお、前記高分子アクチュエータ４０を除くホルダ１、レンズ７、鏡筒１０、支持枠３０、受部材４５は樹脂による成形品である。
【００１９】
前記ホルダ１の下部には矩形状の基台部２が形成され、この基台部２を、当該基台部２と同形状（矩形状の）支持枠３０上に載置する。また、基台部２の上部は、四隅を切り欠いて段差部３を形成することによって八角形状の角筒部４が形成され、前記段差部３には、支持枠３０を固定するための孔部５が形成されている。また、レンズユニット１５を組み込む鏡筒１０はバレル１０ａとバレルホルダ２０とで構成され、前記バレル１０ａの外周面に雄ネジ部２２を形成し、この雄ネジ部２２を前記バレルホルダ２０の内周面に形成した雌ネジ２３に螺着することによって、バレルホルダ２０にバレル１０ａを組み込む。この時、バレル１０ａのネジ込み量によって、バレル１０ａと、このバレル１０ａに一体的に組み込まれるレンズ７とが光軸方向に位置調整可能となる。また、バレル１０ａの上面開口部周縁に位置してテーパ状の凹面１２が形成され、雄ネジ部２２と雌ネジ部２３との螺合によってバレルホルダ２０に対するバレル１０ａの光軸方向の位置を調整した後、凹面１２に接着剤を充填してバレルホルダ２０とバレル１０ａとを一体化している。また、前記角筒部４の内面には複数、本実施例では３本のガイドリブ６が形成され、一方、前記バレルホルダ２０に形成する矩形状の枠部８ａにはガイドリブ６と係合するガイド溝８が形成され、このガイド溝８にホルダ１に形成するガイドリブ６を挿入することによってホルダ１に対してバレルホルダ２０を光軸方向に案内する。これにより、バレル１０ａに組み付けたレンズユニット１５が前記ガイドリブ６に沿って光軸方向にスライドし、かつ、ガイドリブ６とガイド溝８との係合によってホルダ１にバレルホルダ２０が回り止め状態で保持される。また、ホルダ１は後述するカバー５０で覆われ、支持枠３０に形成するフランジ部３０ａとカバー５０との間にガイドリブ６に沿って案内されるバレルホルダ２０が配置され、そのカバー５０とバレルホルダ２０とでバレルホルダ２０の上下動を規制するように構成している。
【００２０】
前記支持枠３０は、ホルダ１の基台部２と同一の矩形状に形成され、前記支持枠３０の上面の載置部３１に端子３３、高分子アクチュエータ４０、端子３２を介して前記ホルダ１の基台部２を載置する。また、載置部３１の四隅にはボス部３５が突設され、前記上下一対の端子３２、３３と高分子アクチュエータ４０にはボス部３５の基端部の段部３５ａと嵌合する切欠部３４が形成されている。また、支持枠３０の内周面には前記ホルダ１のカバー５０と対向するフランジ部３０ａが形成され、前記ホルダ１のカバー５０と支持枠３０のフランジ部３０ａとの間に前記バレルホルダ２０が配置され、カバー５０とフランジ部３０ａとでバレルホルダ２０の光軸方向の移動範囲を制限している。そして、図１に示すように、載置部３１のボス部３５の段部３５ａに端子３３、高分子アクチュエータ４０、端子３２の切欠部３４を嵌合させて載置部３１上に順次、載置した状態で前記ホルダ１の孔部５にボス部３５を圧入することによって、支持枠３０とホルダ１とを一体的に固定する。
【００２１】
このように、支持枠３０とホルダ１とをボス部３５と孔部５との圧入嵌合によって一体化することによって、上下一対の端子３２、３３の間に高分子アクチュエータ４０がサンドイッチ状態で挟着される。さらに、上下一対の端子３２、３３の間に高分子アクチュエータ４０をより強固に挟着するために、前記ホルダ１の基台部２の下端縁寄りに横長な開口部３６を形成することによって、前記基台部２の下端縁に薄肉状のバネ片３７を形成するとともに、そのバネ片３７の中央部に下方に向かって湾曲状に突出する突き当て片３８を形成し、この突き当て片３８を上側の端子３３に押圧させる。また、前記端子３２、３３の縁部にはそれぞれ下方に向かってＬ字状に折曲した接続端子部３２ａ、３３ａが一体形成され、この接続端子部３２ａ、３３ａに図示しない外部配線部材を接続することによって、前記端子３２、３３に電源を供給している。さらに、前記支持枠３０の外周面には、前記各端子３２、３３に形成する接続端子部３２ａ、３３ａと対応して段差凹部３９が形成されており、この段差凹部３９に接続端子部３２ａ、３３ａを嵌合させることによって、支持枠３０の外周面と接続端子部３２ａ、３３ａとが面一に連続する。
【００２２】
カバー５０は前記ホルダ１を覆う薄板状であり、このカバー５０は外部に露出する前記ホルダ１のほぼ全域を覆うように、前記ホルダ１の角筒部４の前面を覆う八角形状の天板部５１と、この天板部５１の周縁からホルダ１の基台部２の外周面を覆うように垂設した４枚の側板部５２とで構成されている。前記側板部５２には左右一対の係止孔５３が形成されるとともに、前記ホルダ１の基台部２には、係止孔５３と係合する係止爪５４が形成され、ホルダ１にカバー５０を被せ、ホルダ１の係止爪５４にホルダ１の係止孔５３を係止して、ホルダ１にカバー５０に固定することによって、側板部５２でホルダ１の基台部２の下端縁寄りに形成された開口部３６が塞がれる。
【００２３】
前記高分子アクチュエータ４０は、上下一対の端子３２、３３からの電圧の印加に応じて変位する複数の変位部４１を備える。この変位部４１は、変位部４１間の分割溝ａによって、上下方向（光軸方向）に変位可能であり、形状としてはほぼ半楕円の舌片状である。また、図４に示すように、前記バレルホルダ２０の後面に凹溝２４が形成され、この凹溝２４に前記レンズユニット１５の後方遮光として機能する前記受部材４５が接着剤２５によって一体的に固定され、この受部材４５の外周面に形成する係合溝４６に前記高分子アクチュエータ４０の各変位部４１を係合させ、変位部４１の変位に連動して、バレルホルダ２０を光軸方向に移動する。すなわち、バレルホルダ２０を光軸方向に移動することによって、バレルホルダ２０に螺着したバレル１０ａに組み込んだレンズユニット１５の焦点合わせが成される。なお、変位部４１の先端部を挿入係合する係合溝４６は、上下面がテーパ面４７となっている。さらに、受部材４５の下端周縁部は、変位部４１を係合溝４６に誘い込むようテーパ状の案内部４８が形成されている。なお、図中５５は赤外線をカットするＩＲカットガラスである。
【００２４】
以上のように構成される本実施例における組立手順について主に図５を参照して説明する。まず、支持枠３０の載置部３１に形成するボス部３５に端子３３、高分子アクチュエータ４０、端子３２の切欠部３４を通して位置決め保持する。この時、端子３２，３３に形成する接続端子部３２ａ、３３ａは、支持枠３０に形成する段差凹部３９に嵌合し、支持枠３０の外周面と接続端子部３２ａ、３３ａとが面一に連続する。また、ホルダ１に形成するガイドリブ６にバレルホルダ２０に形成するガイド溝８を嵌め入れて、予めホルダ１にバレルホルダ２０を組み付けた状態で支持枠３０の載置部３１に形成するボス部３５にホルダ１の孔部５にボス部３５を圧入し、支持枠３０とホルダ１とを一体化する。また、ホルダ１の孔部５にボス部３５を通してホルダ１を支持枠３０に組み付ける際、高分子アクチュエータ４０の変位部４１がバレルホルダ２０の下端部に形成する案内部４８に当接し、ホルダ１への支持枠３０の押し込み動作に追従して変位部４１は案内部４８に沿って係合溝４６に誘い込まれ、孔部５とボス部３５との圧入嵌合によって、支持枠３０とホルダ１とが完全に一体化した状態では、高分子アクチュエータ４０の変位部４１はバレルホルダ２０の係合溝４６に挿入係合する。これとともに、ホルダ１と支持枠３０との間に介在する高分子アクチュエータ４０が上下の端子３２、３３の間に挟まれて挟着保持されるとともに、ホルダ１の基台部２の下端縁に形成するバネ片３７の突き当て片３８が上側の端子３３に圧接してバネ片３７のバネ圧が上側の端子３３に作用し、そのバネ片３７のバネ付勢によって上下の端子３２、３３の間に高分子アクチュエータ４０が強固に挟着される。このように、支持枠３０にホルダ１とバレルホルダ２０とを組み付けた後、バレルホルダ２０の内周面に形成する雌ネジ部２３にレンズユニット１５を組み込んだバレル１０ａの外周に形成する雄ネジ部２２を螺着した後、ホルダ１にカバー５０を被せ、ホルダ１の係止爪５４にホルダ１の係止孔５３を係止して、ホルダ１にカバー５０に固定することによって、カバー５０の側板部５２によってホルダ１の基台部２の下端縁寄りに形成された開口部３６を塞ぐことによって撮像レンズユニットの組み付け作業が完了する。
【００２５】
以上のように構成される撮像レンズユニットは、端子３２、３３から高分子アクチュエータ４０に電圧が印加されると、高分子アクチュエータ４０の変位部４１が撓むことによって、変位部４１と係合溝４６との係合によってバレルホルダ２０がガイドピン６に沿って上下に移動する。これにより、バレルホルダ２０に螺着したバレル１０ａに組み込んだレンズユニット１５が光軸方向に移動して被写体とのピント合わせが自動化（オートフォーカス）される。すなわち、高分子アクチュエータ４０は電圧印加に応じて変位し、自由端の変位部４１が撓んで鏡筒１０を介してレンズユニット１５が光軸方向に移動し、被写体との焦点距離を自動的に合わせる。高分子アクチュエータ４０への電圧印加が解除されると、高分子アクチュエータ４０が初期状態に戻る。このように、本実施例においては、端子３２、３３からの電圧印加に応じて高分子アクチュエータ４０の変位部４１を変位させて焦点距離を合わせることから、変位部４１の変位量によってレンズユニット１５の焦点距離が決定する。また、変位部４１によって駆動されるバレルホルダ２０と、レンズユニット１５を組み込んだバレル１０ａとが雄ネジ部２２と雌ネジ部２３との螺合によって組み付けられているため、バレルホルダ２０へのバレル１０ａのネジ込み量を調整することによって、バレルホルダ２０に対してバレル１０ａの光軸方向に位置を調整することが可能である。このため、バレルホルダ２０にバレル１０ａをネジ込んだ状態で仮り止めし、高分子アクチュエータ４０に電圧印加して高分子アクチュエータ４０の変位部４１を撓ませた際、バレル１０ａの位置を調整した後、バレルホルダ２０と鏡筒１０との間に形成した凹面１２に接着剤などを充填して一体化することで、高分子アクチュエータ４０の個体差などに起因して高分子アクチュエータ４０の変位部４１の変位量にバラツキが生じたとしても、バレル１０ａの位置が調整可能である。これにより、ピントが合った正確な位置にレンズユニット１５を配置することができる。また、ホルダ１の基台部２の下端縁に形成するバネ片３７の突き当て片３８を上側の端子３３に圧接することによってバネ片３７のバネ圧が上側の端子３３に作用し、そのバネ片３７のバネ付勢によって上下の端子３２、３３の間に高分子アクチュエータ４０が強固に挟着されるため、上下に端子３２、３３と高分子アクチュエータ４０とを確実に接触させて、安定的に電気接続させることができるとともに、上側の端子３３に圧接するためのバネ片３７を形成するために、ホルダ１の基台部２の下端縁寄りに形成された開口部３６がホルダ１に被せたカバー５０の側板部５２で塞がれるため、開口部３６から塵や埃が撮像レンズユニットの内部に侵入することなく、撮像レンズユニットの防塵性を高めることができる。また、カバー５０の固定は、ホルダ１にカバー５０を被せ、ホルダ１に形成する係止爪５４にホルダ１の係止孔５３を係止するだけで簡単かつ迅速に固定することができ、組付作業性にも優れる。さらに、端子３２、３３の接続端子部３２ａ、３３ａは、支持枠３０に形成する段差凹部３９に嵌合し、支持枠３０の外周面と接続端子部３２ａ、３３ａとが面一に連続することから、接続端子部３２ａ、３３ａが支持枠３０から突出することなく、支持枠３０の外形寸法内に接続端子部３２ａ、３３ａを収めることができ、撮像レンズユニットの小型化が可能となる。また、高分子アクチュエータ４０の変位量によってレンズユニット１５を光軸に沿って移動させて焦点調節するものであるから、例えばステッピングモーターなどによって焦点調節する構造に比べ構造の簡略化、駆動伝達機構の小型化が可能となり、携帯電話などのカメラとして組み込む場合、カメラ機構の小型化並びに薄型化が可能である。
【００２６】
以上のように、本実施例においては、ホルダ１の基台部２の下端縁寄りに形成された開口部３６を形成して上側の端子３３に圧接させるバネ片３７を形成し、このバネ片３７によって、上下に端子３２、３３と高分子アクチュエータ４０とを確実に接触させて、端子３２、３３と高分子アクチュエータ４０とを安定的に電気接続させることができるとともに、前記開口部３６がホルダ１に被せたカバー５０の側板部５２で塞がれるため、撮像レンズユニット内への塵や埃の侵入を確実に防止して撮像レンズユニットの防塵性を高めることができる。また、端子３２、３３の接続端子部３２ａ、３３ａを支持枠３０に形成する段差凹部３９に嵌合させて、支持枠３０の外周面と接続端子部３２ａ、３３ａとを面一に連続させることによって、接続端子部３２ａ、３３ａが支持枠３０から突出することなく、支持枠３０の外形寸法内に接続端子部３２ａ、３３ａを収めることができ、撮像レンズユニットの外形寸法を抑えることができ、撮像レンズユニットの小型化が可能となる。さらに、ホルダ１へのカバー５０の取り付けは、ホルダ１にカバー５０を被せ、ホルダ１の係止爪５４にカバー５０に形成する係止孔５３に係止するだけでカバー５０をワンタッチで固定することができるから、組み付け作業性にも優れる。
【００２７】
以上、本発明の実施例について詳述したが、本発明は前記実施例に限定されるものではなく、本発明の要旨の範囲内で種々の変形実施が可能である。また、ホルダ１や支持枠３０の形状や変位部４１の形状、個数などは適宜選定すればよい。さらに、ホルダ１や支持枠３０の固定手段などレンズユニットとしての基本的構成は適宜選定すればよい。また、前記実施例ではレンズ７を樹脂で成形した所謂、プラスチックで成形した例を示したがガラス製のレンズで成形してもよい。また、ホルダ１に開口部３６を形成してホルダ１にバネ片３７を形成した例を示したが、支持枠３０側に開口部３６を形成してもよく、さらに、開口部３６に形状なども前記実施例に限るものではなく、適宜選定すればよい。
【図面の簡単な説明】
【００２８】
【図１】本発明の一実施例を示す撮像レンズユニットの斜視図である。
【図２】同上、図２は撮像レンズユニットの分解斜視図である。
【図３】同上、一部を切り欠いた撮像レンズユニットの斜視図である。
【図４】同上、撮像レンズユニットの断面図である。
【図５】同上、撮像レンズユニットの組み付け手順を示す分解斜視図であり、図５（ａ）は組み付け前のホルダ、図５（ｂ）は端子を組み付けた状態、図５（ｃ）は端子と高分子アクチュエータと鏡筒のバレルホルダを組み付けた状態、図５（ｄ）は高分子アクチュエータ上に端子を組み付けた状態、図５（ｅ）は支持枠にホルダを組み付けて固定した状態、図５（ｆ）はホルダにカバーを組み付けた状態、図５（ｇ）はバレルホルダにレンズユニットを組み付けて撮像レンズユニットの組み付けが完了した状態を示している。
【図６】同上、カバーの斜視図である。
【図７】同上、ホルダの斜視図である
【００２９】
１  ホルダ
７  レンズ
６  ガイドピン
８  ガイド溝
１０  鏡筒
１５  レンズユニット
２０  バレルホルダ
２２  雄ネジ部
２３  雌ネジ部
３０  支持枠
３２，３３  端子
４１  変位部
４５  受部材
５０  カバー
５３  係止孔
５４  係止爪
【図１】
2010091808.tif 000003
【図２】
2010091808.tif 000004
【図３】
2010091808.tif 000005
【図４】
2010091808.tif 000006
【図５】
2010091808.tif 000007
【図６】
2010091808.tif 000008
【図７】
2010091808.tif 000009